(57)【要約】【課題】  色情報を損なったモノクロ装飾出力だけでは、元のカラー文書の意味を理解する事が困難になる。【解決手段】  前記課題を解決すべく本発明における画像処理装置は、カラー画像データから検出された色文字に対して装飾を施し、前記カラー画像データをモノクロ出力する装飾出力手段と、  前記検出された色文字の色と該色を有する色文字に対して施された装飾についての情報を出力するモノクロ装飾ガイド出力手段と、を有することを特徴とする。【選択図】  図５
2014027599.tif 000002
【特許請求の範囲】
【請求項１】
カラー画像データから検出された色文字に対して装飾を施し、前記カラー画像データをモノクロ出力する装飾出力手段と、
前記検出された色文字の色と該色を有する色文字に対して施された装飾についての情報を出力するモノクロ装飾ガイド出力手段と、
を有することを特徴とする画像処理装置。
【請求項２】
前記モノクロ装飾ガイド出力手段による出力方法を選択する出力方法選択手段を有することを特徴とした請求項１に記載された画像処理装置。
【請求項３】
前記モノクロ装飾ガイド出力手段は、前記装飾出力手段により前記カラー画像データをモノクロで出力した用紙と同じ用紙に、前記検出された色文字に対して施された装飾についての情報を出力することを特徴とする請求項１に記載の画像処理装置。
【請求項４】
前記モノクロ装飾ガイド出力手段は、前記装飾出力手段により前記カラー画像データをモノクロで出力した用紙とは異なる用紙に、前記検出された色文字に対して施された装飾についての情報を出力することを特徴とする請求項１に記載の画像処理装置。
【請求項５】
前記装飾出力手段により、前記検出された色文字に対して、装飾が施されなかった場合には、
前記モノクロ装飾ガイド出力手段による出力を行わないことを特徴とした請求項１に記載された画像処理装置。
【請求項６】
前記モノクロ装飾ガイド出力手段により出力される部数と、前記装飾出力手段により出力される部数とをそれぞれ独立して設定することができることを特徴とする請求項１に記載された画像処理装置。
【請求項７】
カラー画像データから検出された色文字に対して装飾を施し、前記カラー画像データをモノクロ出力する装飾出力ステップと、
前記検出された色文字の色と該色を有する色文字に対して施された装飾についての情報を出力するモノクロ装飾ガイド出力ステップと、
を有することを特徴とする画像処理方法。
【請求項８】
前記モノクロ装飾ガイド出力ステップによる出力方法を選択する出力方法選択ステップを有することを特徴とした請求項７に記載された画像処理方法。
【請求項９】
前記モノクロ装飾ガイド出力ステップは、前記装飾出力ステップにより前記カラー画像データをモノクロで出力した用紙と同じ用紙に、前記検出された色文字に対して施された装飾についての情報を出力することを特徴とする請求項７に記載の画像処理方法。
【請求項１０】
前記モノクロ装飾ガイド出力ステップは、前記装飾出力ステップにより前記カラー画像データをモノクロで出力した用紙とは異なる用紙に、前記検出された色文字に対して施された装飾についての情報を出力することを特徴とする請求項７に記載の画像処理方法。
【請求項１１】
前記装飾出力ステップにより、前記検出された色文字に対して、装飾が施されなかった場合には、
前記モノクロ装飾ガイド出力ステップによる出力を行わないことを特徴とした請求項７に記載された画像処理方法。
【請求項１２】
前記モノクロ装飾ガイド出力ステップにより出力される部数と、前記装飾出力ステップにより出力される部数とをそれぞれ独立して設定することができることを特徴とする請求項７に記載された画像処理方法。
【請求項１３】
コンピュータに請求項７に記載の画像処理方法を実行させるためのプログラム。
【発明の詳細な説明】
【技術分野】
【０００１】
本発明は、画像処理装置に入力されたカラー画像データをモノクロでプリント出力する際、カラー画像データのカラー文字部に対し、装飾処理を施して黒単色で印刷する画像処理装置及び画像処理方法ならびに画像処理を実行するプログラムに関するものである。
【背景技術】
【０００２】
図１に示すような黒色で出力された文字１０２、赤色で出力された文字１０３、青色で出力された文字１０４で構成されるカラー文書１０１がある。
【０００３】
これを読み取って得られたカラー画像データをグレースケールに変換し、黒単色で出力（以下、モノクロ出力（コピーやＰＤＬ出力））すると、モノクロ出力物１０５のようになる。
【０００４】
このモノクロ出力物１０５では、元々カラー文書１０１にて黒色で出力された文字１０２、赤色で出力された文字１０３、青色で出力された文字１０４の区別がつき難い。一般的に、文書作成者が文書中で重要箇所を示す場合、重要箇所の文字部分をカラーで示す場合が多い。しかし、このカラーで示された重要箇所がモノクロ出力されることで、文書作成者から文書を配布されたユーザに対して、原稿にてどの部分が重要箇所であるか注意を促すことができなくなってしまう恐れがある。
【０００５】
このような問題に対して、特許文献１では、モノクロ出力時に色文字箇所に文字と同じ濃度で形成される装飾を施す出力物１０６（以後、モノクロ装飾出力物）を出力することにより、対象の文字が重要箇所であるという情報を引き継ぐ方法がある。例えば黒色で出力された文字１０２は、そのまま黒色の文字１０７であるが、赤色で出力された文字１０３は、黒色のアンダーラインで装飾された文字１０８に変換され、青色で出力された文字１０４は、黒い太文字１０９に変換される。
【先行技術文献】
【特許文献】
【０００６】
【特許文献１】特開２００８−２４４６１９
【発明の概要】
【発明が解決しようとする課題】
【０００７】
しかしながら、モノクロ装飾された箇所が原稿中に数多く存在する場合、文書作成者であっても、各箇所がモノクロに変換される前に何色を用いて示されており、中でも何色で示された箇所が一番重要であることを示したのか覚えておくのが困難という課題がある。
【０００８】
また、文書作成者でなくても、モノクロ装飾出力物を配布されたユーザの中には、モノクロに変換される前の原稿にどのような色が使用されていたのかを知る事で、配布された出力物に対する理解が深まる場合もある。すなわち、色情報を損なったモノクロ装飾出力物だけでは、元のカラー文書に記載される内容の意味を理解する事が困難になるという課題がある。
【課題を解決するための手段】
【０００９】
上記課題を解決するため、本発明の画像処理装置は、カラー画像データから検出された色文字に対して装飾を施し、前記カラー画像データをモノクロ出力する装飾出力手段と、前記検出された色文字の色と該色を有する色文字に対して施された装飾についての情報を出力するモノクロ装飾ガイド出力手段とを有する事を特徴とする。
【発明の効果】
【００１０】
本発明を用いると、色情報を損なったモノクロ装飾出力物に記載されている内容の意味を理解するためにモノクロ装飾ガイドの出力を行うことで、モノクロ装飾出力された文書に記載された内容の理解をより深める事ができる。
【図面の簡単な説明】
【００１１】
【図１】通常モノクロ出力とモノクロ装飾出力の違いを示す図である。
【図２】モノクロ装飾ガイド出力に関する図である。
【図３】システム構成を示すブロック図である。
【図４】画像処理部を示すブロック図である。
【図５】本発明の概要を示すフローチャートである。
【図６】ＵＩ画面に表示される一例を示す図である。
【図７】ＵＩ画面に表示される一例を示す図である。
【図８】ＵＩ画面に表示される一例を示す図である。
【図９】本発明の概要を示すフローチャートである。
【図１０】本発明の概要を示すフローチャートである。
【図１１】ＵＩ画面に表示される一例を示す図である。
【図１２】本発明の概要を示すフローチャートである。
【図１３】ＵＩ画面に表示される一例を示す図である。
【図１４】全体概要を説明する構成図である。
【発明を実施するための形態】
【００１２】
（実施形態１）
実施形態１では、モノクロ装飾出力を行う場合にモノクロ装飾ガイド出力をすることについて説明する。
【００１３】
［モノクロ出力とモノクロ装飾出力］
モノクロ出力では、カラー文書１０１を読み取って得られたカラー画像データをグレースケールに変換し、このグレースケール変換されたデータを出力する。一方、モノクロ装飾出力では、カラー文書１０１からユーザ指定のカラーで示される文字（カラー文字）データを抽出し、抽出されたカラー文字データに対してグレースケール変換する。これと同時に、グレースケール変換された文字データと同じ濃度で形成される装飾を施して、モノクロで出力する。また、モノクロ装飾出力では抽出されたカラー文字データ以外の箇所に関しては、モノクロ出力実行時と同様にグレースケールに変換する。
【００１４】
図２は、モノクロ装飾ガイド出力物の一例を示す図である。
【００１５】
黒色で出力された文字１０２、赤色で出力された文字１０３、青色で出力された文字１０４で構成されたカラー文書１０１をモノクロ装飾出力すると、モノクロ装飾出力物１０６が得られる。
【００１６】
赤色で出力された文字１０３は、モノクロ変換された文字と同じ濃度の黒色のアンダーラインで装飾された文字１０８に変換される。同様に青色で出力された文字１０４は、モノクロ変換された文字と同じ濃度の黒色の太文字１０９に変換される。
【００１７】
この、装飾処理をする対象の色文字は予め決まっており、装飾処理対象以外の色文字に対しては装飾処理を施さない。また、このモノクロ変換される文字の色とこの色で表示される文字に対して施される装飾との対応は、予め決められている。
【００１８】
モノクロ装飾出力物１０６が出力されると、モノクロ装飾ガイド出力物２０１も出力される。モノクロ装飾ガイド出力物２０１には、赤色で出力された文字１０３がアンダーラインで装飾されたことを示す。同様に、青色で出力された文字１０４が太文字に変換されて装飾されたことを示す。このように、文字の色とこの色で表示される文字に対して施される装飾についての情報を含むモノクロ装飾情報を作成し、これをモノクロ装飾ガイド出力物として出力する。また、モノクロ装飾情報として、モノクロ装飾ガイド出力物に元のカラー文書１０１の作成者が指示した重要度に関する記載がされていてもよい。
【００１９】
図２に示される例では、モノクロ装飾ガイド出力物２０１にて、カラー文書にて青で記載されていた文字がモノクロ装飾出力物では太字で記載され、カラー文字で示された情報の中で重要度が最も高いことを示している。
【００２０】
［全体構成概要の説明］
図１４は、モノクロ装飾出力を実現する画像処理装置１４０１、ホストコンピュータ１４０２、ホストコンピュータ１４０３に関する構成図を示す。
【００２１】
画像処理装置１４０１は、ネットワーク１４０４を介してホストコンピュータ１４０２、ホストコンピュータ１４０３からのプリント出力指示を受け、プリント出力を実行する事が可能である。また、画像処理装置１４０１に付属する画像読み取り装置を利用する事によって、読み取った画像データをホストコンピュータ１４０２、ホストコンピュータ１４０３に送信する事も可能である。さらに、画像処理装置１４０１に付属する印刷装置を利用する事により、読み取った画像データをプリント出力する事（コピー動作）することも可能である。
【００２２】
本実施形態では、ホストコンピュータ１４０２や１４０３からの指示を画像処理装置１４０１へ送信し、送信された指示に従い画像処理装置１４０１がプリント出力する事を想定して記載するが、その限りではない。例えば印刷装置を利用するコピー動作の際にも有効である。
【００２３】
［モノクロ装飾出力およびモノクロ装飾ガイド出力の方法］
図３は、画像処理装置１４０１の構成を示す図であり、各々が入力部３０１、システム制御部３０２、ＲＯＭ３０３、画像処理部３０４、ＵＩ部３０５、モノクロ装飾ガイドレンダリング部３０６、モノクロ装飾ガイド作成部３０７、印刷部３０８で構成されている。
【００２４】
図６、図７は、ホストコンピュータ１４０２、１４０３のモニタ上や画像処理装置１４０１のＵＩ部３０５に表示される画面の一例を示す図である。
【００２５】
モノクロ装飾出力の設定および、モノクロ装飾ガイド出力の設定には２通りの方法がある。一つは、ホストコンピュータ１４０２や１４０３にインストールされているプリンタドライバで印刷設定をする時に設定する方法である。ユーザが処理対象であるカラー原稿をモノクロ出力する際に、図６に示され、出力設定を決定するために表示される画面のボタン６０２を押下する事によりモノクロ装飾出力が可能になる。ボタン６０１が押下されると通常モノクロ出力となる。モノクロ出力をキャンセルする場合にはボタン６０３を押下する。次に、モノクロ装飾出力に関するモノクロ装飾ガイド出力を行う場合には、ユーザが、図７に示され、モノクロ装飾出力時にモノクロ装飾ガイドを出力するか否か決定するために表示される画面のボタン７０１を押下する。ボタン７０１が押下されると、モノクロ装飾出力時に何色の文字に対してどのような装飾を施すか、またその色の文字が色文字の中で何番目に重要であるかを示す情報を作成して出力する。また、モノクロ装飾ガイド出力を出力しない場合には、ボタン７０２を押下する。もう一つの設定方法は、画像処理装置１４０１のＵＩ部３０５上に表示された図６、図７を使用し、プリンタドライバ同様にモノクロ装飾出力および、モノクロ装飾ガイド出力を設定する方法である。
【００２６】
［モノクロ装飾ガイド出力時の重要度の決定方法］
図８は、ホストコンピュータ１４０２、１４０３のモニタ上や画像処理装置１４０１のＵＩ部３０５に表示される画面の一例を示す図である。
【００２７】
ユーザは、出力されるモノクロ装飾ガイドにモノクロ装飾が示す重要度を設定する事ができる。ボタン７０１が押下されると、モノクロ装飾出力する対象の文字色を処理対象のカラー文書を読み取って得られたカラー画像データから検出し、その色に対する重要度を設定する。例えば、モノクロ装飾出力物１０６の場合には、赤色で出力された文字１０３、青色で出力された文字１０４が色選択エリア８０１に表示される。この色選択エリア８０１に表示された色に対して、ユーザは、重要度スイッチ８０２を用いてその重要度を選択する。数字が大きい程、重要度が高い。図８に示される例では、カラー原稿にて赤色よりも青色で出力した文字の重要度がより高いことを示している。重要度が決定したらユーザはボタン８０３を押下する。もし、カラー画像データからさらに多くの色文字が検出された場合には、色選択エリア８０１に表示される選択肢が増える。モノクロ装飾ガイド出力を出力しない場合には、ユーザはボタン８０４を押下する。システム制御部３０２は、決定された重要度に関する情報をモノクロ装飾ガイド作成部３０７に送信する
また、画像処理装置１４０１が、ユーザのログインを識別できる機種であれば、重要度を１度設定しているユーザが再度ログインした場合には、１度目に設定している重要度を、再度ログイン後にも使用するため図８の画面は表示されなくてもよい。
【００２８】
［モノクロ装飾出力およびモノクロ装飾ガイド出力の概要］
図５は、画像処理部３０４、モノクロ装飾ガイドレンダリング部３０６、モノクロ装飾ガイド作成部３０７の処理に関するフローチャートである。本フローチャートは、ＲＯＭ３０３に格納されたプログラムに従って、画像処理装置のシステム制御部３０２が実行する事によって実現される。
【００２９】
ステップＳ５０１にて、システム制御部３０２は、予めホストコンピュータ１４０２，１４０３や画像処理装置１４０１を介してモノクロ装飾出力が設定されたか否かの情報を画像処理部３０４に送信する。ここで、モノクロ装飾出力が設定された場合には、各色文字に対する装飾出力設定情報をモノクロ装飾ガイド作成部３０７に送信する。この送信された情報が、画像処理部３０４とモノクロ装飾ガイド作成部３０７各々で受信される。
【００３０】
モノクロ装飾出力が設定されていると判断された場合には、ステップＳ５０２に進む。そして、ステップＳ５０２にて、システム制御部３０２は、入力部３０１に入力されたカラー画像データを画像処理部３０４に送信する。カラー画像データを受信した画像処理部３０４は、カラー画像データ全体に対して、グレースケール変換する。またそのうち、処理対象の色文字箇所に対し、グレースケール変換された文字と同じ濃度の装飾を施す。装飾方法は、予め指定された方法を用いる。このようにして、カラー画像データに対して通常のモノクロ変換処理を行い、カラー画像データをモノクロ装飾出力ビットマップデータに変換する。そして、システム制御部３０２は、画像処理部３０４でモノクロ装飾出力ビットマップデータを２値化データに変換する。次に、ステップＳ５０３にて、システム制御部３０２は、モノクロ装飾２値化データを印刷部３０８でプリント出力する。次に、ステップＳ５０４にて、システム制御部３０２は、モノクロ装飾ガイド出力が指示されているか否かの情報を判断する。判断の結果、モノクロ装飾ガイド出力が指示されていない場合は、印刷動作終了となる。一方、モノクロ装飾ガイド出力が指示されている場合、ステップＳ５０５に進む。そして、ステップＳ５０５にて、システム制御部３０２は、モノクロ装飾ガイド作成部３０７でモノクロ装飾ガイド出力描画データを生成する。このとき、予め設定された各色に対するモノクロ装飾の出力設定情報（モノクロ装飾に設定される重要度情報を含む）を用いて、モノクロ装飾ガイド出力描画データを生成する。次に、システム制御部３０２は、モノクロ装飾ガイドレンダリング部３０６で、モノクロ装飾ガイド出力描画データを展開し、ビットマップデータを作成する。そして、システム制御部３０２は、画像処理部３０４でモノクロ装飾ガイド出力ビットマップデータを２値化画像データに変換する。次に、ステップＳ５０６にて、システム制御部３０２は、印刷部３０８にてモノクロ装飾ガイド出力２値化データを印刷する。
【００３１】
また、ステップＳ５０１にて、モノクロ装飾出力しないと判断された場合は、ステップＳ５０７に進み、システム制御部３０２が、画像処理部３０４にて入力されたカラー画像データに対して通常のモノクロ画像２値化データを作成する。そして、作成されたモノクロ画像２値化データを、印刷部３０８で印刷する。
【００３２】
［モノクロ装飾出力およびモノクロ装飾ガイド出力の画像処理］
図４は、画像処理部３０４の構成を示す図であり、入力部４０１、指定カラー検出部４０２、通常モノクロ処理部４０３、モノクロ装飾処理部４０４、ガンマ処理部４０５、画像形成処理部４０６、出力部４０７、モノクロ装飾作成部４０８で構成されている。
【００３３】
図９は、画像処理部３０４の構成要素４０２〜４０８の処理に関するフローチャートである。本フローチャートは、ＲＯＭ３０３に格納されたプログラムに従って、画像処理装置のシステム制御部３０２が実行する事によって実現される。
【００３４】
最初にモノクロ装飾出力に関する画像処理について説明する。
【００３５】
ステップＳ９０１にて、システム制御部３０２は、指定カラー検出部４０２で入力部４０１に入力されたカラー画像データを構成する色文字情報を検出する。ステップＳ９０２にて、システム制御部３０２は、指定カラー検出部４０２で、予め指示されたモノクロ装飾する色文字が入力されたカラー画像データに含まれているか否かを検出する。ステップＳ９０２にて、入力されたカラー画像データにモノクロ装飾する色文字が検出されない場合には、ステップＳ９０７に進む。そして、ステップＳ９０７にて、システム制御部３０２は、通常モノクロ処理部４０３で入力されたカラー画像データに対して通常のモノクロ処理を行い、通常モノクロ画像ビットマップデータが生成される。ステップＳ９０２にて、入力されたカラー画像データにモノクロ装飾する色文字が検出された場合には、ステップＳ９０３に進む。そしてステップＳ９０３にて、システム制御部３０２が、モノクロ装飾処理部４０４で入力されたカラー画像データのうちモノクロ装飾する色文字箇所に対して、予め指示された装飾を施し、モノクロ装飾出力ビットマップデータを作成する。その他の箇所に関しては、システム制御部３０２が、通常モノクロ処理部４０３で通常のモノクロ変換処理を行い、通常モノクロビットマップデータを作成する。そして、システム制御部３０２が、モノクロ装飾作成部４０８でモノクロ装飾出力ビットマップデータと通常モノクロビットマップデータを合成し、モノクロ装飾出力ビットマップデータを作成する。次に、ステップＳ９０４にて、システム制御部３０２は、モノクロ装飾に関する情報（モノクロ装飾情報）をモノクロ装飾ガイド作成部３０７に送信する。そして、ステップＳ９０５にて、システム制御部３０２は、ガンマ処理部４０５で、ステップＳ９０３にて生成されたモノクロ装飾出力ビットマップデータもしくは、ステップＳ９０７にて生成されたモノクロ画像ビットマップデータに対して、ガンマ処理を行う。ステップＳ９０６にて、ガンマ処理が行われたモノクロ装飾出力ビットマップデータもしくは、モノクロ画像ビットマップデータは、システム制御部３０２によって、画像形成処理部４０６で、画像形成処理を施される。そして画像形成処理を施されたモノクロ装飾出力ビットマップデータもしくは、モノクロ画像ビットマップデータから、２値化画像データを作成し、出力部４０７にモノクロ装飾２値化画像データまたはモノクロ２値化画像データを送信する。最後にシステム制御部３０２は、印刷部３０８でモノクロ装飾２値化画像データまたはモノクロ２値化画像データをプリント出力する。
【００３６】
次にモノクロ装飾ガイド出力に関する画像処理について説明する。
【００３７】
ステップＳ９０４にて、モノクロ装飾情報を送信されたモノクロ装飾ガイド作成部３０７は、モノクロ装飾情報からモノクロ装飾ガイド出力ビットマップデータを作成する。
【００３８】
そして、システム制御部３０２は、ガンマ処理部４０５で、モノクロ装飾ガイド作成部３０７で作成されたモノクロ装飾ガイド出力ビットマップデータにガンマ処理を行う。その後、システム制御部３０２は、画像形成処理部４０６で画像形成処理を施し、モノクロ装飾ガイド出力２値化データを生成する。
【００３９】
本実施形態により、色情報を損なったモノクロ装飾出力物に記載されている内容の意味を理解するためにモノクロ装飾ガイド出力を行うことで、モノクロ装飾出力された文書に記載された内容の理解をより深める事ができる。
【００４０】
なお、本実施形態ではカラー原稿を読み取ることで得られたカラー画像データに対してモノクロ装飾出力を行ったが、ホストコンピュータから送信されたカラー画像データや、画像形成装置に記憶されたカラー画像データに対してモノクロ装飾出力を行っても良い。
【００４１】
（実施形態２）
実施形態１を実施する際に、ユーザがモノクロ装飾ガイド出力を出力する方法を選択できる事が望ましい場合がある。この場合について、実施形態２にて説明する。
【００４２】
図１２は、画像処理部３０４および、モノクロ装飾ガイド作成部３０７の処理に関するフローチャートである。本フローチャートは、ＲＯＭ３０３に格納されたプログラムに従って、画像処理装置のシステム制御部３０２が実行する事によって実現される。
【００４３】
ステップＳ５０１〜ステップＳ５０７は、実施形態１と同様の処理になるので、ここでは記載を省略する。
【００４４】
ステップＳ１２０１にて、システム制御部３０２は、予め設定されたモノクロ装飾ガイド出力方法に関する情報をモノクロ装飾ガイド作成部３０７に送信する。ステップＳ１２０１にて、モノクロ装飾ガイド出力物と、モノクロ出力物を別紙に印刷する事が選択されている場合には、ステップＳ５０６へ進む。そして、ステップＳ５０６にて、システム制御部３０２は、実施形態１と同様に画像処理部３０４、モノクロ装飾ガイド作成部３０７、印刷部３０８、モノクロ装飾ガイドレンダリング部３０６により、モノクロ装飾ガイド出力および、モノクロ装飾出力を行う。ステップＳ１２０１にて、モノクロ装飾ガイド出力を別紙で行わない選択がされている場合は、モノクロ装飾出力物の裏面に印字する事を選択することになる。そこで、ステップＳ１２０２へ進み、ここで、システム制御部３０２は、本処理対象のカラー画像データの出力方法が両面プリント設定になっているか否かを判断する。両面プリント設定になっていない場合はステップＳ１２０３へ進む。そして、ステップＳ１２０３にて、システム制御部３０２が、画像処理部３０４で作成されたモノクロ装飾出力２値化データを印刷部３０８で印刷後、その紙を画像処理装置１４０１の反転パス機構を介して、裏面に印刷できるようにセットする。画像処理部３０４で作成されたモノクロ装飾出力２値化データを印刷部３０８で印刷後、出力された紙を再度、給紙部に配置するようＵＩ部３０５等を介してユーザに指示する表示をしてもよい。
【００４５】
次に、システム制御部３０２は、モノクロ装飾ガイド作成部３０７、モノクロ装飾ガイドレンダリング部３０６、画像処理部３０４により、作成されたモノクロ装飾ガイド出力２値化データを印刷部３０８で、先ほどセットされた用紙の裏面に印刷する。
【００４６】
ステップＳ１２０２にて、出力方法が両面プリント設定になっている場合には、ステップＳ１２０４へ進む。そしてステップＳ１２０４にて、システム制御部３０２が、モノクロ装飾ガイド作成部３０７、モノクロ装飾ガイドレンダリング部３０６で、印刷の余白部分に印字できる大きさにレイアウトされたモノクロ装飾ガイド出力ビットマップデータを作成する。システム制御部３０２は、画像処理部３０４でモノクロ装飾ガイド出力ビットマップデータをモノクロ装飾ガイド２値化データに変換する。同様にシステム制御部３０２は、画像処理部３０４で、モノクロ装飾出力２値化データを生成する。最後にシステム制御部３０２は、モノクロ装飾出力２値化データの余白部分にモノクロ装飾ガイド出力２値化データをモノクロ装飾作成部４０８で合成し、合成された２値化データを印刷部３０８でプリント出力する。また、余白部にモノクロ装飾ガイド出力２値化データを印刷する代わりに、このモノクロ装飾ガイド出力２値化データが示す情報またはカラー画像データのサムネイルを示す情報を含む２次元コード等を印刷してもよい。
【００４７】
以上説明したいように、モノクロ装飾ガイド出力の出力方法が選択できる事により、モノクロ装飾ガイド出力を本文と同じ用紙に印刷する場合は、余分な紙の消費を避ける事が可能になる。
【００４８】
（実施形態３）
実施形態１を実施する際に、モノクロ装飾ガイド出力指定時であっても、処理対象のカラー画像データにモノクロ装飾出力箇所がない場合には、モノクロ装飾ガイド出力をしない方が望ましい場合がある。この場合について、実施形態３にて説明する。
【００４９】
図１０は、画像処理部３０４および、モノクロ装飾ガイド作成部３０７の処理に関するフローチャートである。本フローチャートは、ＲＯＭ３０３に格納されたプログラムに従って、画像処理装置のシステム制御部３０２が実行する事によって実現される。
【００５０】
図１１は、ホストコンピュータ１４０２、１４０３のモニタ上やＵＩ部３０５に表示される画面の一例を示す図である。
【００５１】
本実施形態では、モノクロ装飾ガイド出力が指定されているが、モノクロ装飾（アンダーライン、太字）が指示されている赤色で出力された文字１０３、青色で出力された文字１０４がカラー画像データに存在しない場合について説明する。
【００５２】
ステップＳ５０１〜ステップＳ５０７は、実施形態１と同様の処理になるので、ここでは記載を省略する。
【００５３】
ステップＳ５０４でモノクロ装飾ガイド出力が指示されている場合、ステップＳ１００１にて、システム制御部３０２が、画像処理部３０４でモノクロ装飾する色文字が入力部３０１に入力されたカラー画像データに含まれていたか否かを判断する。入力されたカラー画像データにモノクロ装飾する色文字が含まれていなかった場合、ステップＳ１００２にて、システム制御部３０２は、図１１に示すような画面をホストコンピュータ１４０２、１４０３のモニタ上やＵＩ部３０５に表示する。
【００５４】
画面上のエリア１１０１には、通常モノクロ変換されたモノクロビットマップデータがプレビューとして表示されている。ユーザには、モノクロ装飾ガイド出力の必要がないことを説明した上で、ボタン１１０２を押下するとモノクロ装飾ガイド出力を中止する。
【００５５】
以上説明したいように、モノクロ装飾ガイド出力が指示されている場合でも、モノクロ装飾対象色文字が入力カラー画像データに存在しない場合には、モノクロ装飾ガイド出力をしない事により、余分な紙の消費を避ける事が可能になる。
【００５６】
（実施形態４）
実施形態１を実施する際に、ユーザがモノクロ装飾プリント出力枚数とモノクロ装飾ガイド出力枚数が独立して設定できる事が望ましい場合がある。この場合について、実施形態４にて説明する。
【００５７】
図１３は、ホストコンピュータ１４０２、１４０３のモニタ上やＵＩ部３０５に表示される画面の一例を示す図である。
【００５８】
ユーザは、モノクロ装飾出力時に全てのモノクロ装飾出力物に対して、モノクロ装飾ガイド出力を必要としない場合がある。例えば、１０部モノクロ装飾出力物を生成したが、モノクロ装飾ガイド出力物が必要なのはプリント指示者だけであり、モノクロ装飾ガイド出力物は１部で良い場合もある。
【００５９】
ユーザは、図７の画面を通じてモノクロ装飾ガイド出力を希望した場合に、図１３の画面を通じて、モノクロ装飾ガイド出力の部数を指示する事ができる。
【００６０】
ボタン１３０１の上下ボタンを押下する事により、ユーザが必要なモノクロ装飾ガイド出力部数を指示する。ボタン１３０２が押下されるとシステム制御部３０２は、モノクロ装飾ガイド作成部３０７、モノクロ装飾ガイドレンダリング部３０６、画像処理部３０４で、指示された部数のモノクロ装飾ガイド出力２値化データを作成する。そして、システム制御部３０２が、作成されたモノクロ装飾ガイド出力２値化データを印刷部３０８で印刷出力する。
【００６１】
以上説明したように、ユーザがモノクロ装飾プリント出力枚数とモノクロ装飾ガイド出力枚数を独立して設定する事が可能になる。
【００６２】
（その他の実施形態）
本発明は、以下の処理を実行する事によっても実現される。即ち、上記実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００６３】
また、上記実施形態の画像処理装置は、電子写真装置やインクジェットプリンタ、サーマルプリント等でもよく、本発明の主旨はプリンタの種類に限定されるものではない。また、印刷に用いる記録剤は、トナーやインク等の記録剤であってもよく、本発明の主旨は記録剤に種類に限定されるものではない。
【００６４】
また、モノクロの単色印刷として、黒トナーを用いていたが、黒トナーが閾値以下となった場合、単色でも視認性のよい、シアントナーやマゼンタトナーを用いて単色印刷をしてもよい。
【図１】
2014027599.tif 000003
【図２】
2014027599.tif 000004
【図３】
2014027599.tif 000005
【図４】
2014027599.tif 000006
【図５】
2014027599.tif 000007
【図６】
2014027599.tif 000008
【図７】
2014027599.tif 000009
【図８】
2014027599.tif 000010
【図９】
2014027599.tif 000011
【図１０】
2014027599.tif 000012
【図１１】
2014027599.tif 000013
【図１２】
2014027599.tif 000014
【図１３】
2014027599.tif 000015
【図１４】
2014027599.tif 000016